(57)【要約】【課題】システム全体としての無線トラフィックの最適化を図ることが可能な無線通信システムを提供する。【解決手段】無線端末４が基地局検索信号を送信し、複数の無線基地局２、３から接続用の基地局を選択する無線通信システムであって、接続用の基地局として選択された無線基地局２が、自身の基地局状態に基づいて無線端末４の基地局検索の周期及び／又は基地局検索信号の送信タイミングを決定し、決定した周期及び／又は送信タイミングを無線端末４に送信する無線通信システム１。また、接続用の基地局として選択された無線基地局２は、無線端末４から端末状態を示す信号を受信し、受信した端末状態と自身の基地局状態とに基づいて無線端末４の基地局検索の周期及び／又は基地局検索信号の送信タイミングを決定することができる。【選択図】図１
2011182296.tif 000002
【特許請求の範囲】
【請求項１】
無線端末が基地局検索信号を送信し、複数の無線基地局から接続用の基地局を選択する無線通信システムであって、
前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信することを特徴とする無線通信システム。
【請求項２】
前記接続用の基地局として選択された無線基地局は、前記無線端末から端末状態を示す信号を受信し、該受信した端末状態と前記自身の基地局状態とに基づいて前記無線端末の基地局検索の周期及び／又は基地局検索信号の送信タイミングを決定することを特徴とする請求項１に記載の無線通信システム。
【請求項３】
前記接続用の基地局として選択された無線基地局は、複数の無線端末から前記端末状態を示す信号を受信し、該受信した複数の無線端末の端末状態と前記自身の基地局状態とに基づいて前記無線端末の基地局検索の周期及び／又は基地局検索信号の送信タイミングを決定することを特徴とする請求項２に記載の無線通信システム。
【請求項４】
前記複数の無線基地局の各々が通信可能に相互に接続され、前記接続用の基地局として選択された無線基地局が、他の無線基地局から前記基地局状態を示す信号を取得し、該他の無線基地局の基地局状態と前記自身の基地局状態とに基づいて前記無線端末の基地局検索の周期及び／又は基地局検索信号の送信タイミングを決定することを特徴とする請求項１、２又は３に記載の無線通信システム。
【請求項５】
前記基地局状態が、他の無線端末（基地局検索の周期及び／又は基地局検索信号の送信タイミングの決定対象となる無線端末以外の端末）との接続状態を含むことを特徴とする請求項１乃至４のいずれかに記載の無線通信システム。
【請求項６】
前記端末状態が、前記無線端末の電池残量、移動速度及び接続優先度の少なくとも１つを含むことを特徴とする請求項２乃至５のいずれかに記載の無線通信システム。
【請求項７】
無線端末が基地局検索信号を送信し、複数の無線基地局から接続用の基地局を選択する無線通信システムにおいて、前記無線端末の基地局検索周期を設定するための方法であって、
前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信することを特徴とする基地局検索周期の設定方法。
【請求項８】
無線端末から送信される基地局検索信号を受信するのに応じて、該無線端末に応答信号を返信し、該無線端末からの要請に応じて接続用の基地局として機能する無線基地局であって、
前記接続用の基地局として選択されたときに、自身の基地局状態に基づいて前記無線端末の基地局検索の周期及び／又は基地局検索信号の送信タイミングを決定し、該決定した周期及び／又は送信タイミングを該無線端末に送信することを特徴とする無線基地局。
【発明の詳細な説明】
【技術分野】
【０００１】
本発明は、無線通信システム、基地局検索周期の設定方法及び無線基地局に関し、特に、無線端末の基地局検索の周期や検索タイミングを決定するためのシステム等に関する。
【背景技術】
【０００２】
一般に、携帯電話機等の移動体通信端末は、複数の無線基地局から通信状態が良好な基地局を検索し、十分な通信能力を維持するように構成される。こうした移動体通信端末では、基地局検索を周期的に行い、接続中の基地局から遠ざかるなどして受信レベルが低下すると、基地局を適宜に切り替えるように動作する。
【０００３】
その際、通信状態の観点からすれば、基地局検索の周期を短くすることが好ましいが、検索動作にあたっては、端末内の受信検波回路や制御部を駆動させる必要があるため、電力消費量の増大を招き、端末の稼働期間を縮める要因となる。
【０００４】
そこで、例えば、特許文献１に記載のように、受信レベルの増減傾向に応じて基地局検索の周期を変化させる無線通信端末が提案され、この無線端末装置は、例えば、受信レベルが増大傾向にある場合に、基地局のサービス圏内に近付いているものと推定し、基地局検索の周期を通常の短い周期に戻し、受信性能を引き上げるように構成される。
【０００５】
また、特許文献２には、着信履歴を記録する着信履歴記録部と、基地局のサービス圏外であると判定した時点から遡った過去の着信履歴を参照し、それに応じて基地局検索の周期を変更するサーチ周期判定部とを備えた無線通信端末が提案されている。この無線通信端末は、過去の着信の頻度が少ない場合に、省電力性能を重視して長い周期で基地局検索を実施し、逆に、着信の頻度が多い場合に、高い受信能力の確保を重視して短い周期で基地局検索を実施するように構成される。
【先行技術文献】
【特許文献】
【０００６】
【特許文献１】特開２００６−１４０９１２号公報
【特許文献２】特開２００８−１６０３０３号公報
【発明の概要】
【発明が解決しようとする課題】
【０００７】
しかし、特許文献１、２に記載の無線通信端末においては、いずれも基地局検索の周期を端末自身が決定し、その周期に従って基地局に基地局検索信号を発するように構成されるため、複数の無線端末が存在する場合、個々の端末が各々で検索周期を定めることになる。そのため、無線端末間の協調を取ることができず、システム全体としての無線トラフィックの最適化が困難であった。
【０００８】
そこで、本発明は、上記従来の技術における問題点に鑑みてなされたものであって、システム全体としての無線トラフィックの最適化を図ることが可能な無線通信システム等を提供することを目的とする。
【課題を解決するための手段】
【０００９】
上記目的を達成するため、本発明は、無線端末が基地局検索信号を送信し、複数の無線基地局から接続用の基地局を選択する無線通信システムであって、前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信することを特徴とする。
【００１０】
そして、本発明によれば、無線基地局が、基地局状態に基づいて無線端末の基地局検索の周期等を決定するため、無線端末間の協調を取ることができ、システム全体としての無線トラフィックの最適化を図ることが可能になる。
【００１１】
上記無線通信システムにおいて、前記接続用の基地局として選択された無線基地局が、前記無線端末から端末状態を示す信号を受信し、該受信した端末状態と前記自身の基地局状態とに基づいて前記無線端末の基地局検索の周期及び／又は基地局検索信号の送信タイミングを決定することができる。これによれば、無線端末間の協調を取ることができるのに加えて、無線端末の状況に応じたトラフィック調整を行うことが可能になる。
【００１２】
上記無線通信システムにおいて、前記接続用の基地局として選択された無線基地局が、複数の無線端末から前記端末状態を示す信号を受信し、該受信した複数の無線端末の端末状態と前記自身の基地局状態とに基づいて前記無線端末の基地局検索の周期及び／又は基地局検索信号の送信タイミングを決定することができる。これによれば、無線端末間の協調を取ることができるのに加えて、各々の無線端末の状況に応じたトラフィック調整を行うことが可能になる。
【００１３】
上記無線通信システムにおいて、前記複数の無線基地局の各々が通信可能に相互に接続され、前記接続用の基地局として選択された無線基地局が、他の無線基地局から前記基地局状態を示す信号を取得し、該他の無線基地局の基地局状態と前記自身の基地局状態とに基づいて前記無線端末の基地局検索の周期及び／又は基地局検索信号の送信タイミングを決定することができる。これによれば、無線端末間の協調を取ることができるのに加えて、各々の無線基地局の状況に応じたトラフィック調整を行うことが可能になる。
【００１４】
上記無線通信システムにおいて、前記基地局状態を、他の無線端末（基地局検索の周期及び／又は基地局検索信号の送信タイミングの決定対象となる無線端末以外の端末）との接続状態を含む情報とすることができる。
【００１５】
上記無線通信システムにおいて、前記端末状態を、前記無線端末の電池残量、移動速度及び接続優先度の少なくとも１つを含む情報とすることができる。
【００１６】
また、本発明は、無線端末が基地局検索信号を送信し、複数の無線基地局から接続用の基地局を選択する無線通信システムにおいて、前記無線端末の基地局検索周期を設定するための方法であって、前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信することを特徴とする。
【００１７】
さらに、本発明は、無線端末から送信される基地局検索信号を受信するのに応じて、該無線端末に応答信号を返信し、該無線端末からの要請に応じて接続用の基地局として機能する無線基地局であって、前記接続用の基地局として選択されたときに、自身の基地局状態に基づいて前記無線端末の基地局検索の周期及び／又は基地局検索信号の送信タイミングを決定し、該決定した周期及び／又は送信タイミングを該無線端末に送信することを特徴とする。
【発明の効果】
【００１８】
以上のように、本発明によれば、システム全体としての無線トラフィックの最適化を図ることが可能な無線通信システム等を提供することができる。
【図面の簡単な説明】
【００１９】
【図１】本発明にかかる無線通信システムの第１の実施形態を示す構成図である。
【図２】図１の無線基地局の構成を示すブロック図である。
【図３】図１の無線端末の構成を示すブロック図である。
【図４】第１の実施形態にかかる無線通信システムの動作を示すシーケンス図である。
【図５】第２の実施形態にかかる無線通信システムの動作を示すシーケンス図である。
【図６】第３の実施形態にかかる無線通信システムの動作を示すシーケンス図である。
【図７】第４の実施形態にかかる無線通信システムの動作を示すシーケンス図である。
【発明を実施するための形態】
【００２０】
次に、発明を実施するための形態について、図面を参照しながら詳細に説明する。ここでは、本発明にかかる無線通信システムを、無線タグを利用して物品等の位置を管理する位置管理システムに適用した場合を例にとって説明する。
【００２１】
図１は、本発明にかかる無線通信システムの第１の実施形態を示し、この無線通信システム１は、大別して、相互に有線接続（実線）された複数の無線基地局２、３と、無線基地局２、３と無線接続（破線）される複数の無線端末（無線タグ）４、５とから構成される。
【００２２】
尚、図示を省略しているが、無線基地局２、３には、無線端末４、５からの受信信号を基に物品等の位置を検出・管理する装置等が接続される。また、説明の便宜上、無線基地局及び無線端末を２台ずつとしているが、これらの数は、３台以上であってもよい。
【００２３】
無線基地局２、３は、無線端末４、５からの無線電波を受信するために備えられ、いずれも同様の構成を有する。これら無線基地局２、３は、本発明に関連する構成として、図２に示すように、無線端末４、５との間で無線通信によるデータの送受信処理を行う無線送受信部１１と、他の無線基地局との間で有線通信によるデータの送受信処理を行う有線送受信部１２と、自基地局の状態を管理するとともに、他の無線基地局及び無線端末４、５から送信される状態情報を管理する状態管理部１３と、無線送受信部１１、有線送受信部１２及び状態管理部１３とデータの受け渡しを行い、それらデータを基に演算処理を行う演算部１４とを備える。
【００２４】
無線端末４、５は、運搬物品等に貼着される無線タグであり、物品等に同伴して移動する移動体通信端末である。これら無線端末４、５は、無線通信に適した基地局を検索すべく、定期的に基地局検索信号を発するように構成され、いずれも同様の構成を有する。
【００２５】
無線端末４、５は、本発明に関連する構成として、図３に示すように、無線基地局２又は無線基地局３との間で無線通信によるデータの送受信処理を行う無線送受信部２１と、自端末の状態を管理する状態管理部２２と、無線送受信部２１及び状態管理部２２とデータの受け渡しを行い、それらデータを基に演算処理を行う演算部２３とを備える。
【００２６】
次に、上記構成を有する無線通信システム１において、無線端末４の基地局検索の周期を決定する場合の動作について、図４を中心に参照しながら説明する。
【００２７】
先ず、無線端末４が、無線基地局２、３の各々に対して基地局検索信号を発信し、基地局検索を行う（ステップＳ１、Ｓ２）。次いで、無線基地局２、３の各々が、無線端末４からの基地局検索信号に応じて、無線端末４に応答信号を返信する（ステップＳ３、Ｓ４）。
【００２８】
次に、無線端末４の演算部２３において、無線基地局２、３のうちから自身の無線通信に適した基地局（例えば、通信時の電波強度が高い側の基地局）を選択し、中継接続を行う基地局として決定する（ステップＳ５）。このとき、例えば、接続用の基地局として無線基地局２を選択したとすると、無線端末４は、無線基地局２に接続通知を送信し、接続処理を要請する（ステップＳ６）。
【００２９】
無線基地局２は、無線端末４からの接続通知を受信すると、状態管理部１３で管理する自身の基地局状態を演算部１４に送信する（ステップＳ７）。ここで、基地局状態には、無線端末４以外の端末との接続状態（無線端末４以外の端末で、どの無線端末と接続中の状態になっているか、その無線端末の基地局検索周期や基地局検索信号の送信タイミングがどうなっているかなど）を示す情報が含まれる。
【００３０】
そして、演算部１４において、取得した無線基地局２の基地局状態に基づき、無線端末４の基地局検索の周期や基地局検索信号の送信タイミングを決定する（ステップＳ８）。例えば、無線基地局２が、無線端末４以外の端末として無線端末５と接続中の状態となっており、無線端末５からの基地局検索信号の送信タイミングと、無線端末４からの基地局検索信号の送信タイミングとが競合する虞がある場合には、無線端末４の基地局検索周期を伸縮したり、基地局検索信号の送信タイミングを変更して、両者が競合しないように調整する。
【００３１】
上記のようにして検索周期や送信タイミングを決定すると、無線基地局２は、接続通知に対する応答信号とともに、決定した検索周期等を無線端末４に送信する（ステップＳ９）。そして、無線端末４は、無線基地局２から受信した検索周期等を状態管理部２２に設定し、これ以後、設定された周期間隔や送信タイミングで無線基地局の検索を実施する（ステップＳ１０）。
【００３２】
このように、本実施の形態によれば、無線基地局２が、他の無線端末との接続状態を含む基地局状態を保有し、これに基づいて無線端末４の基地局検索の周期等を決定するため、無線端末間の協調を取ることができ、システム全体としての無線トラフィックの最適化を図ることが可能になる。
【００３３】
次に、本発明にかかる無線通信システムの第２の実施形態について、図５を参照しながら説明する。尚、システム構成は、第１の実施形態の場合と同様であり、図１〜図３に示す通りである。また、ここでは、無線端末４の基地局検索周期を決定する場合を例にとって説明する。
【００３４】
検索周期の決定にあたっては、先ず、無線端末４が、無線基地局２、３の各々に対して基地局検索信号を発信し、基地局検索を行う（ステップＳ１１、Ｓ１２）。次いで、無線基地局２、３の各々が、無線端末４からの基地局検索信号に応じて、無線端末４に応答信号を返信する（ステップＳ１３、Ｓ１４）。
【００３５】
次に、無線端末４の演算部２３において、無線基地局２、３のうちから自身の無線通信に適した基地局を選択し、接続用の基地局として決定する（ステップＳ１５）。これと併せ、電池残量、移動速度、接続優先度等の自身の端末状態を状態管理部１３から取得する（ステップＳ１６）。
【００３６】
そして、先のステップＳ１５において、無線基地局２を接続用の基地局に選択したとすると、無線端末４は、接続通知及び端末状態を無線基地局２に送信し、接続処理を要請する（ステップＳ１７）。
【００３７】
無線基地局２は、無線端末４からの接続通知及び端末状態を受信すると、状態管理部１３で管理する無線基地局２の基地局状態を演算部１４に送信する（ステップＳ１８）。次いで、演算部１４において、自身の基地局状態及び無線端末４からの端末状態に基づいて、基地局検索の周期等を決定する（ステップＳ１９）。
【００３８】
基地局検索の周期等の決定にあたって、基地局状態は、第１の実施形態の場合と同様、無線端末４と他の無線端末との間での基地局検索の協調を図るための指標に用いる。一方、端末状態は、例えば、電池残量を参照する場合であれば、無線端末４の省電力のための指標に用い、無線端末４の電池残量が少ない場合に、無線端末４の基地局検索周期を長くするように調整する。また、移動速度や接続優先度を参照する場合であれば、端末状態を高い通信能力の確保のための指標として用い、無線端末４の移動速度が速かったり、接続優先度が高い場合に、基地局検索周期を短くするように調整する。
【００３９】
上記のようにして検索周期等を決定すると、無線基地局２は、接続通知に対する応答信号とともに、決定した検索周期を無線端末４に送信する（ステップＳ２０）。その後、無線端末４は、無線基地局２から受信した検索周期等を状態管理部２２に設定し、これ以後、設定された周期間隔や送信タイミングで無線基地局の検索を実施する（ステップＳ２１）。
【００４０】
このように、本実施の形態によれば、無線端末４の端末状態を加味して基地局検索の周期等を決定するため、無線端末間の協調を取ることができるのに加えて、無線端末４の状況に応じたトラフィック調整を行うことが可能になる。
【００４１】
次に、本発明にかかる無線通信システムの第３の実施形態について、図６を参照しながら説明する。尚、システム構成は、第１の実施形態の場合と同様であり、図１〜図３に示す通りである。また、ここでは、無線端末４の基地局検索周期を決定した後に、無線端末５の基地局検索周期を決定する場合を例にとって説明する。
【００４２】
先ず、無線端末４が、無線基地局２、３の各々に対して基地局検索信号を発信し、基地局検索を行う（ステップＳ３１、Ｓ３２）。次いで、無線基地局２、３の各々が、無線端末４からの基地局検索信号に応じて、無線端末４に応答信号を返信する（ステップＳ３３、Ｓ３４）。
【００４３】
次に、無線端末４の演算部２３において、無線基地局２、３のうちから自身の無線通信に適した基地局を選択し、接続用の基地局として決定する（ステップＳ３５）。これと併せ、電池残量等の自身の端末状態を状態管理部１３から取得する（ステップＳ３６）。
【００４４】
そして、先のステップＳ３５において、無線基地局２を接続用の基地局に選択したとすると、無線端末４は、接続通知及び端末状態を無線基地局２に送信し、接続処理を要請する（ステップＳ３７）。
【００４５】
無線基地局２は、無線端末４からの接続通知及び端末状態を受信すると、受信した端末状態を状態管理部１３に記憶するとともに（ステップＳ３８）、状態管理部１３で管理する無線基地局２の状態を演算部１４に送信する（ステップＳ３９）。次いで、演算部１４において、自身の基地局状態及び無線端末４の端末状態に基づいて、基地局検索の周期等を決定する（ステップＳ４０）。このときの周期等の決定方法は、第２の実施形態の場合と同様である。
【００４６】
検索周期等を決定すると、無線基地局２は、接続通知に対する応答信号とともに、決定した検索周期等を無線端末４に送信する（ステップＳ４１）。その後、無線端末４は、無線基地局２から受信した検索周期等を状態管理部２２に設定し、これ以後、設定された周期間隔や送信タイミングで無線基地局の検索を実施する（ステップＳ４２）。
【００４７】
次いで、無線端末５が、無線基地局２、３の各々に対して基地局検索信号を発信すると（ステップＳ４３、Ｓ４４）、無線基地局２、３の各々が、無線端末５からの基地局検索信号に応じて、無線端末５に応答信号を返信する（ステップＳ４５、Ｓ４６）。
【００４８】
次に、無線端末５の演算部２３において、無線基地局２、３のうちから自身の無線通信に適した基地局を選択し、接続用の基地局として決定する（ステップＳ４７）。これと併せ、電池残量等の自身の端末状態を状態管理部１３から取得する（ステップＳ４８）。例えば、無線基地局２を接続用の基地局に選択したとすると、無線端末５は、接続通知及び端末状態を無線基地局２に送信し、接続処理を要請する（ステップＳ４９）。
【００４９】
無線基地局２は、無線端末５からの接続通知及び端末状態を受信すると、状態管理部１３で管理する自身の基地局状態と、先のステップＳ３８で状態管理部１３に記憶した無線端末４の端末状態とを演算部１４に送信する（ステップＳ５０）。次いで、演算部１４において、無線端末５の端末状態、無線端末４の端末状態、及び自身の基地局状態に基づいて、基地局検索の周期等を決定する（ステップＳ５１）。
【００５０】
例えば、無線端末５の電池残量が無線端末４の電池残量に比べて少ない場合には、無線端末５の基地局検索周期を無線端末４のそれよりも長くして省電力化を図るようにする。また、無線端末５の移動速度が無線端末４の移動速度より速い場合には、無線端末５の基地局検索周期を無線端末４のそれよりも短くし、無線端末５の基地局検索を優先させるようにする。
【００５１】
その後、無線基地局２は、接続通知に対する応答信号とともに、決定した検索周期等を無線端末５に送信する（ステップＳ５２）。そして、無線端末５は、無線基地局２から受信した検索周期等を状態管理部２２に設定し、これ以後、設定された周期間隔や送信タイミングで無線基地局の検索を実施する（ステップＳ５３）。
【００５２】
このように、本実施の形態によれば、無線端末５の基地局検索周期を決定するにあたり、無線端末４の端末状態を加味するため、無線端末間の協調を取ることができるのに加えて、各々の無線端末の状況に応じたトラフィック調整を行うことが可能になる。
【００５３】
次に、本発明にかかる無線通信システムの第４の実施形態について、図７を参照しながら説明する。尚、システム構成は、第１の実施形態の場合と同様であり、図１〜図３に示す通りである。
【００５４】
先ず、無線端末４が、無線基地局２、３の各々に対して基地局検索信号を発信し、基地局検索を行う（ステップＳ６１、Ｓ６２）。次いで、無線基地局２、３の各々が、無線端末４からの基地局検索信号に応じて、無線端末４に応答信号を返信する（ステップＳ６３、Ｓ６４）。
【００５５】
次に、無線端末４の演算部２３において、無線基地局２、３のうちから自身の無線通信に適した基地局を選択し、接続用の基地局として決定する（ステップＳ６５）。これと併せ、電池残量等の自身の端末状態を状態管理部１３から取得する（ステップＳ６６）。例えば、無線基地局３を接続用の基地局に選択したとすると、無線端末４は、接続通知及び端末状態を無線基地局３に送信し、接続処理を要請する（ステップＳ６７）。
【００５６】
無線基地局３は、無線端末４からの接続通知及び端末状態を受信すると、自身の基地局状態を状態管理部１３から取得するとともに（ステップＳ６８）、他の無線基地局２に対して基地局状態を要求する（ステップＳ６９）。
【００５７】
無線基地局２は、無線基地局３からの要求に応じて自身の基地局状態を状態管理部１３から取得し、無線基地局３に返信する（ステップＳ７０、Ｓ７１）。
【００５８】
次いで、無線基地局３は、演算部１４において、無線端末４の端末状態、自身の基地局状態及び無線基地局２の基地局状態に基づいて、基地局検索の周期等を決定する（ステップＳ７２）。例えば、無線基地局２の通信圏と無線基地局３の通信圏とが重なる領域に無線端末４が位置する場合、無線基地局２との間の無線通信と、無線基地局３との間の無線通信とが混信する虞があるため、無線基地局２への基地局検索信号の送信タイミングと、無線基地局３への基地局検索信号の送信タイミングとが競合しないように、無線基地局３に対する無線端末４の基地局検索周期等を調整する。
【００５９】
検索周期等を決定すると、無線基地局３は、接続通知に対する応答信号とともに、決定した検索周期等を無線端末４に送信する（ステップＳ７３）。その後、無線端末４は、無線基地局３から受信した検索周期等を状態管理部２２に設定し、これ以後、設定された周期間隔や送信タイミングで無線基地局の検索を実施する（ステップＳ７４）。
【００６０】
このように、本実施の形態によれば、他の無線基地局２が保有する基地局状態を加味して無線端末４の基地局検索の周期等を決定するため、無線端末間の協調を取ることができるのに加えて、各々の無線基地局の状況に応じたトラフィック調整を行うことが可能になる。
【００６１】
尚、上記第４の実施形態おいては、無線端末４の端末状態及び無線基地局２、３の基地局状態に基づいて基地局検索の周期等を決定するが、必ずしも無線端末４の端末状態を用いる必要はなく、無線基地局２、３の基地局状態に基づいて基地局検索の周期等を決定するようにしてもよい。
【００６２】
以上、本発明の実施の形態を説明したが、本発明は、上記構成に限定されるものではなく、特許請求の範囲に記載された発明の範囲内で種々の変更が可能である。
【００６３】
例えば、上記第１〜第４の実施形態においては、本発明にかかる無線通信システムを位置管理システムに適用し、無線端末４、５を物品等に貼着する無線タグとした場合を例示したが、無線タグ以外の携帯電話機等を無線端末４、５に用いる場合にも、本発明を適用することができる。
【００６４】
上記の実施形態の一部又は全部は、以下の付記のようにも記載されうるが、以下には限られない。
【００６５】
（付記１）無線端末が基地局検索信号を送信し、複数の無線基地局から接続用の基地局を選択する無線通信システムであって、前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信する無線通信システム。
【００６６】
（付記２）前記接続用の基地局として選択された無線基地局は、前記無線端末から端末状態を示す信号を受信し、該受信した端末状態と前記自身の基地局状態とに基づいて前記無線端末の基地局検索の周期及び／又は基地局検索信号の送信タイミングを決定する付記１に記載の無線通信システム。
【００６７】
（付記３）前記接続用の基地局として選択された無線基地局は、複数の無線端末から前記端末状態を示す信号を受信し、該受信した複数の無線端末の端末状態と前記自身の基地局状態とに基づいて前記無線端末の基地局検索の周期及び／又は基地局検索信号の送信タイミングを決定する付記２に記載の無線通信システム。
【００６８】
（付記４）前記複数の無線基地局の各々が通信可能に相互に接続され、前記接続用の基地局として選択された無線基地局が、他の無線基地局から前記基地局状態を示す信号を取得し、該他の無線基地局の基地局状態と前記自身の基地局状態とに基づいて前記無線端末の基地局検索の周期及び／又は基地局検索信号の送信タイミングを決定する付記１、２又は３に記載の無線通信システム。
【００６９】
（付記５）前記基地局状態が、他の無線端末（基地局検索の周期及び／又は基地局検索信号の送信タイミングの決定対象となる無線端末以外の端末）との接続状態を含む付記１乃至４のいずれかに記載の無線通信システム。
【００７０】
（付記６）前記端末状態が、前記無線端末の電池残量、移動速度及び接続優先度の少なくとも１つを含む付記２乃至５のいずれかに記載の無線通信システム。
【００７１】
（付記７）無線端末が基地局検索信号を送信し、複数の無線基地局から接続用の基地局を選択する無線通信システムにおいて、前記無線端末の基地局検索周期を設定するための方法であって、前記接続用の基地局として選択された無線基地局が、自身の基地局状態に基づいて前記無線端末の基地局検索の周期及び／又は基地局検索信号の送信タイミングを決定し、該決定した周期及び／又は送信タイミングを該無線端末に送信する基地局検索周期の設定方法。
【００７２】
（付記８）前記接続用の基地局として選択された無線基地局が、前記無線端末から端末状態を示す信号を受信し、該受信した端末状態と前記自身の基地局状態とに基づいて前記無線端末の基地局検索の周期及び／又は基地局検索信号の送信タイミングを決定する付記７に記載の基地局検索周期の設定方法。
【００７３】
（付記９）前記接続用の基地局として選択された無線基地局が、複数の無線端末から前記端末状態を示す信号を受信し、該受信した複数の無線端末の端末状態と前記自身の基地局状態とに基づいて前記無線端末の基地局検索の周期及び／又は基地局検索信号の送信タイミングを決定する付記８に記載の基地局検索周期の設定方法。
【００７４】
（付記１０）前記複数の無線基地局の各々が通信可能に相互に接続され、前記接続用の基地局として選択された無線基地局が、他の無線基地局から前記基地局状態を示す信号を取得し、該他の無線基地局の基地局状態と前記自身の基地局状態とに基づいて前記無線端末の基地局検索の周期及び／又は基地局検索信号の送信タイミングを決定する付記７、８又は９に記載の基地局検索周期の設定方法。
【００７５】
（付記１１）前記基地局状態が、他の無線端末（基地局検索の周期及び／又は基地局検索信号の送信タイミングの決定対象となる無線端末以外の端末）との接続状態を含む付記７乃至１０のいずれかに記載の基地局検索周期の設定方法。
【００７６】
（付記１２）前記端末状態が、前記無線端末の電池残量、移動速度及び接続優先度の少なくとも１つを含む付記７乃至１１のいずれかに記載の基地局検索周期の設定方法。
【００７７】
（付記１３）無線端末から送信される基地局検索信号を受信するのに応じて、該無線端末に応答信号を返信し、該無線端末からの要請に応じて接続用の基地局として機能する無線基地局であって、前記接続用の基地局として選択されたときに、自身の基地局状態に基づいて前記無線端末の基地局検索の周期及び／又は基地局検索信号の送信タイミングを決定し、該決定した周期及び／又は送信タイミングを該無線端末に送信する無線基地局。
【００７８】
（付記１４）前記接続用の基地局として選択されたときに、前記無線端末から端末状態を示す信号を受信し、該受信した端末状態と前記自身の基地局状態とに基づいて前記無線端末の基地局検索の周期及び／又は基地局検索信号の送信タイミングを決定する付記１３に記載の無線基地局。
【００７９】
（付記１５）前記接続用の基地局として選択されたときに、複数の無線端末から前記端末状態を示す信号を受信し、該受信した複数の無線端末の端末状態と前記自身の基地局状態とに基づいて前記無線端末の基地局検索の周期及び／又は基地局検索信号の送信タイミングを決定する付記１４に記載の無線基地局。
【００８０】
（付記１６）他の無線基地局と通信可能に接続され、前記接続用の基地局として選択されたときに、他の無線基地局から前記基地局状態を示す信号を取得し、該他の無線基地局の基地局状態と前記自身の基地局状態とに基づいて前記無線端末の基地局検索の周期及び／又は基地局検索信号の送信タイミングを決定する付記１３、１４又は１５に記載の無線基地局。
【００８１】
（付記１７）前記基地局状態が、他の無線端末（基地局検索の周期及び／又は基地局検索信号の送信タイミングの決定対象となる無線端末以外の端末）との接続状態を含む付記１３乃至１６のいずれかに記載の無線基地局。
【００８２】
（付記１８）前記端末状態が、前記無線端末の電池残量、移動速度及び接続優先度の少なくとも１つを含む付記１３乃至１７のいずれかに記載の無線基地局。
【符号の説明】
【００８３】
１  無線通信システム
２  無線基地局
３  無線基地局
４  無線端末
５  無線端末
１１  無線送受信部
１２  有線送受信部
１３  状態管理部
１４  演算部
２１  無線送受信部
２２  状態管理部
２３  演算部
【図１】
2011182296.tif 000003
【図２】
2011182296.tif 000004
【図３】
2011182296.tif 000005
【図４】
2011182296.tif 000006
【図５】
2011182296.tif 000007
【図６】
2011182296.tif 000008
【図７】
2011182296.tif 000009